(57)【要約】【課題】表示パネルを複数の領域に分割して輝度値の処理を行う場合に、対象となる領域とその周辺の領域の輝度値との関係によっては、対象となる領域の輝度値の変化が急峻になり、偽輪郭が生じることにより画像の品位が低下するという問題が生じる。【解決手段】映像信号に基づいて、光源により照射される対象領域及び対象領域の各周辺領域の輝度値を算定する算定部と、対象領域の輝度値を、対象領域を構成する複数の構成領域ごとの輝度値に補正する補正量を決定する信号補正部と、入力された映像信号を信号補正部の補正量に基づいて補正する映像補正部とを備え、信号補正部は、対象領域の輝度値と対象領域の各周辺領域の輝度値との関係に応じて、補正量を設定する。【選択図】図１
2013019922.tif 000002
【特許請求の範囲】
【請求項１】
入力された映像信号を表示する表示パネルと前記表示パネルを背面から照射する複数の光源とにより構成された表示装置であって、
前記映像信号に基づいて、前記光源により照射される第１の領域及び前記第１の領域の各周辺領域の輝度値を算定する算定部と、
前記算定部で算定された前記第１の領域の輝度値を、前記第１の領域を構成する複数の構成領域ごとの輝度値に補正する補正量を決定する信号補正部と、
入力された映像信号を前記信号補正部の補正量に基づいて補正する映像補正部とを備え、
前記信号補正部は、前記第１の領域の輝度値と前記第１の領域の各周辺領域の輝度値との関係に応じて、前記補正量を設定することを特徴とする表示装置。
【請求項２】
前記信号補正部は、前記第１の領域の輝度値が前記第１の領域の周辺領域のいずれの輝度値よりも低輝度値又は高輝度値の場合に、前記第１の領域を構成する複数の構成領域のうち、所定の構成領域の輝度値を略一定にすることを特徴とする請求項１記載の表示装置。
【請求項３】
前記信号補正部は、前記第１の領域の輝度値が前記第１の領域の周辺領域の輝度値の中間輝度値の場合には、前記第１の領域を構成する複数の構成領域は、前記第１の領域の周辺領域の輝度値の中間値であることを特徴とする請求項１又は２記載の表示装置。
【請求項４】
前記信号補正部は、前記第１の領域の輝度値が前記第１の領域の周辺領域の輝度値の中間輝度値の場合と比較して、前記第１の領域の輝度値が前記第１の領域の周辺領域のいずれの輝度値よりも低輝度値又は高輝度値の場合において、前記第１の領域の輝度値の変化量を緩やかに設定する傾斜補正手段を有することを特徴とする請求項１から３のいずれかに記載の表示装置。
【請求項５】
前記信号補正部は、前記第１の領域を構成する複数の構成領域について、前記第１の領域に配置された光源からの輝度値分布に応じて輝度値を補正することを特徴とする請求項１から４記載の表示装置。
【請求項６】
前記信号補正部は、前記第１の領域を構成する複数の構成領域について、前記第１の領域に配置された光源からの輝度値分布及び前記第１の領域の周辺領域に配置された光源からの輝度分布に応じて輝度値を補正することを特徴とする請求項１から４記載の表示装置。
【請求項７】
前記第１の領域を構成する複数の構成領域は、複数の画素又は画素単位で構成されていることを特徴とする請求項１から６記載の表示装置。
【請求項８】
入力された映像信号を表示する表示パネルと前記表示パネルを背面から照射する複数の光源とにより構成された表示方法であって、
前記映像信号に基づいて、前記光源により照射される第１の領域及び前記第１の領域の各周辺領域の輝度値を算定する算定ステップと、
前記算定ステップで算定された前記第１の領域の輝度値を、前記第１の領域を構成する複数の構成領域ごとの輝度値に補正する補正量を決定する信号補正ステップと、
入力された映像信号を前記信号補正ステップの補正量に基づいて補正する映像補正ステップとを備え、
前記信号補正ステップは、前記第１の領域の輝度値と前記第１の領域の各周辺領域の輝度値との関係に応じて、前記補正量を設定することを特徴とする表示方法。
【請求項９】
前記信号補正ステップは、前記第１の領域の輝度値が前記第１の領域の周辺領域のいずれの輝度値よりも低輝度値又は高輝度値の場合に、前記第１の領域を構成する複数の構成領域のうち、所定の構成領域の輝度値を略一定にすることを特徴とする請求項８記載の表示方法。
【請求項１０】
前記信号補正ステップは、前記第１の領域の輝度値が前記第１の領域の周辺領域の輝度値の中間輝度値の場合には、前記第１の領域を構成する複数の構成領域は、前記第１の領域の周辺領域の輝度値の中間値であることを特徴とする請求項８又は９記載の表示方法。
【請求項１１】
前記信号補正ステップは、前記第１の領域の輝度値が前記第１の領域の周辺領域の輝度値の中間輝度値の場合と比較して、前記第１の領域の輝度値が前記第１の領域の周辺領域のいずれの輝度値よりも低輝度値又は高輝度値の場合において、前記第１の領域の輝度値の変化量を緩やかに設定する傾斜補正ステップを有することを特徴とする請求項８から１０のいずれかに記載の表示方法。
【請求項１２】
前記信号補正ステップは、前記第１の領域を構成する複数の構成領域について、前記第１の領域に配置された光源からの輝度値分布に応じて輝度値を補正することを特徴とする請求項８から１１記載の表示方法。
【請求項１３】
前記信号補正ステップは、前記第１の領域を構成する複数の構成領域について、前記第１の領域に配置された光源からの輝度値分布及び前記第１の領域の周辺領域に配置された光源からの輝度分布に応じて輝度値を補正することを特徴とする請求項８から１１記載の表示装置。
【請求項１４】
前記第１の領域を構成する複数の構成領域は、複数の画素又は画素単位で構成されていることを特徴とする請求項８から１３記載の表示装置。
【発明の詳細な説明】
【技術分野】
【０００１】
本発明は、バックライトを利用した表示装置及び表示方法に関するものである。
【背景技術】
【０００２】
光変調素子として液晶表示素子（液晶パネル）を用いた液晶表示装置は、背面に照明光源を備え、その光源から照射される光の透過率を液晶パネルによって制御することで、任意の画像の表示を実現している。
【０００３】
これらの表示装置には、表示輝度のダイナミックレンジの拡大や消費電力の低下などを目的とし、表示画面を複数の分割領域に分割し、それぞれの領域に対して少なくともひとつずつの光源を配置し、分割領域ごとに光源の輝度を制御する構成を用いているものがある。このような構成の表示装置では、各分割領域の光源の輝度は、その領域内に表示される映像の特徴に応じて制御される。
ここで、各分割領域内の輝度を設定する方法として、消費電力の低減を図りつつ画質の向上を図ることを目的として、各分割領域における表示輝度を検出し、各光源の発光輝度を各分割領域に対応して配置されていない他の光源の当該領域に対する影響を含めて検出した表示輝度に基づいて算出し、発光輝度と表示画面の各部における表示輝度の最適値とのずれ量に基づいて表示部の各画素に対する補正量を算出する技術が知られている（例えば、特許文献１等）。
さらには、別の各分割領域内の輝度を設定する方法として、画像表示装置の表示輝度範囲を理想の範囲に拡大し、かつ、画像品質も確保することを目的として、複数の領域に対応する画像信号の輝度分布を算出して領域毎の照明光の明るさを決定する輝度分布算出手段と、前記輝度分布算出手段の決定に基づいて前記照明手段の領域毎の照明光を制御する照明制御手段を採用する構成が知られている（例えば、特許文献２等）。
【先行技術文献】
【特許文献】
【０００４】
【特許文献１】特開２００７−０３４２５１号公報
【特許文献２】特開２００５−２５８４０３号公報
【発明の概要】
【発明が解決しようとする課題】
【０００５】
上記特許文献１においては、各光源の発光輝度を各分割領域に対応して配置されていない他の光源の当該領域に対する影響を含めて検出した表示輝度に基づいて算出しているが、この場合には、他の光源からの光量は一定として算出する構成が記載されている。
【０００６】
さらに、上記特許文献２においては、バックライトの領域間の輝度分布について近似関数を用いて求める構成が記載されている。
【０００７】
しかしながら、実際に各分割領域間の影響を考慮する場合には、高品位で映像信号を表示する場合には、光源に対応する分割領域ではなく、例えば画素単位等のより小さい単位（本願発明においては、構成領域という）ごとの発光輝度を特定しなければ、高品位な映像信号を表示することができないという問題が生じる。
【０００８】
ここで、これに対する対策として、図１３に示すように、各光源からの発光輝度値を特定し、さらに、各分割領域を構成する構成領域のそれぞれについて、各光源からの距離を考慮して、各構成領域の輝度値を設定する構成が考えられる。
より具体的に説明する。図１３では、横軸に各分割領域の距離を示しており、一方、縦軸は各光源の発光輝度を示している。分割領域Ａにおいては、光源からの輝度値が２００に設定されており、分割領域Ｂにおいては、光源からの輝度値が８０に設定されており、分割領域Ｃにおいては、光源からの輝度値が４０に設定されているものとする。なお、これらの数字は説明の容易化のために使用したものであり、実際にはこれら以外の値であっても良い。
この場合に、分割領域Ａと分割領域Ｂの間の各構成領域については、それぞれの構成領域において、分割領域Ａの中心と分割領域Ｂの中心領域からの距離と分割領域Ａと分割領域Ｂの輝度値に応じて、それぞれの各構成領域の輝度値を設定することが可能になるものである。
しかしながら、さらにこのような対策を行った場合であっても、映像信号が図１４に示すような場合には、さらなる問題が生じる。
より具体的に説明する。図１４では、図１３と同様に、横軸に各分割領域の距離を示しており、一方、縦軸は各光源の発光輝度を示している。分割領域Ａにおいては、光源からの輝度値が２００に設定されており、分割領域Ｂにおいては、光源からの輝度値が４０に設定されており、分割領域Ｃにおいては、光源からの輝度値が８０に設定されているものとする。なお、図１３の場合と同様に、これらの数字は説明の容易化のために使用したものであり、実際にはこれら以外の値であっても良い。
【０００９】
この場合、上述したような処理を行った場合には、分割領域Ａと分割領域Ｂとの間の構成領域については、それぞれの構成領域における、分割領域Ａの中心と分割領域Ｂの中心領域からの距離と分割領域Ａと分割領域Ｂの輝度値に応じて、それぞれの各構成領域の輝度値を設定することとなるため、図１４に示すように、直線的に各構成領域の輝度が設定されることとなる。
【００１０】
同様に、分割領域Ｂと分割領域Ｃとの間の構成領域については、それぞれの構成領域における、分割領域Ｂの中心と分割領域Ｃの中心領域からの距離と分割領域Ｂと分割領域Ｃの輝度値に応じて、それぞれの各構成領域の輝度値を設定することとなるため、図１４に示すように、直線的に各構成領域の輝度が設定されることとなる。
分割領域ＡからＣの各輝度値が図１４のような場合に、直線的に各構成領域の輝度が設定された場合には、実際には、分割領域Ｂの中心領域において、輝度値の分布の変化が大きい領域（鋭い折れ点）ができてしまう。そのような場合、急激に変化する輝度値が適用された結果、算出される映像信号補正量も急激に変化することとなる。このような急激に変化する補正量が、なめらかに変化する映像信号に対して適用されてしまうことにより、映像信号に対して疑輪郭を生じさせる可能性があり、映像の品位を下げてしまうという問題が生じる。
【００１１】
以上より、本願発明は、従来した課題を解決するために、複数の分割領域間がどのような輝度値の場合であっても、高品位な映像を提供することを目的とするものである。
【課題を解決するための手段】
【００１２】
上述した課題を解決するために、本願発明においては、入力された映像信号を表示する表示パネルと前記表示パネルを背面から照射する複数の光源とにより構成された表示装置であって、映像信号に基づいて、光源により照射される第１の領域及び第１の領域の各周辺領域の輝度値を算定する算定部と、算定部で算定された第１の領域の輝度値を、第１の領域を構成する複数の構成領域ごとの輝度値に補正する補正量を決定する信号補正部と、入力された映像信号を信号補正部の補正量に基づいて補正する映像補正部とを備え、信号補正部は、第１の領域の輝度値と第１の領域の各周辺領域の輝度値との関係に応じて、補正量を設定する表示装置である。
また、本願発明においては、信号補正部は、第１の領域の輝度値が第１の領域の周辺領域のいずれの輝度値よりも低輝度値又は高輝度値の場合に、第１の領域を構成する複数の構成領域のうち、所定の構成領域の輝度値を略一定にすることを特徴とする表示装置である。
また、本願発明においては、信号補正部は、第１の領域の輝度値が第１の領域の周辺領域の輝度値の中間輝度値の場合には、第１の領域を構成する複数の構成領域は、第１の領域の周辺領域の輝度値の中間値であることを特徴とする表示装置である。
【発明の効果】
【００１３】
本願発明は、これらの構成により、信号補正部は、第１の領域の輝度値と第１の領域の各周辺領域の輝度値との関係に応じて、補正量を設定することにより、複数の分割領域間がどのような輝度値の場合であっても、高品位な映像を提供することを目的とするものである。
【図面の簡単な説明】
【００１４】
【図１】本発明の液晶表示装置の構成を示す図
【図２】本発明の信号補正手段の構成を示す図
【図３】本発明の液晶表示装置の処理内容（台形補正）を示す図
【図４】本発明の液晶表示装置の処理内容（台形補正）を示す図
【図５】本発明の液晶表示装置の処理内容（直線補正）を示す図
【図６】本発明の液晶表示装置の処理内容（直線補正）を示す図
【図７】本発明の液晶表示装置の処理内容（台形補正）を示す図
【図８】本発明の液晶表示装置の処理内容（直線補正）を示す図
【図９】本発明の液晶表示装置の処理内容（台形補正）を示す図
【図１０】本発明の分割領域と構成領域を示す図
【図１１】本発明の液晶表示装置の処理内容を示す図
【図１２】本発明の補間手段の構成を示す図
【図１３】従来の液晶表示装置の処理内容を示す図
【図１４】従来の液晶表示装置の処理内容を示す図
【発明を実施するための形態】
【００１５】
（実施の形態１）
＜１、液晶表示装置の全体構成＞
本発明の第１の実施の形態における液晶表示装置について説明する。図１は、本発明の第１の実施の形態による液晶表示装置の構成を示すブロック図である。図１に示す液晶表示装置は、算定手段１０２、信号補正手段１０４、表示パネル駆動手段１０６、表示パネル１０８、バックライト駆動手段１１０、バックライトユニット１１２により構成される。以下、各構成について詳細に説明する。
＜１−１、表示パネルに関する構成＞
最初に、算定手段１０２について説明する。算定手段１０２では、入力映像信号から輝度値を算定し、信号補正手段１０４にその算定した輝度値を出力する。この際の輝度値の算定は、後述する表示パネル１０８を複数の領域に分割した分割領域単位で行われる。算定手段１０２では、入力映像信号から、各分割領域の画素のピーク値や、平均値等により輝度値を生成する。
【００１６】
次に、信号補正手段１０４について説明する。信号補正手段１０４では、算定手段１０２において算定した各分割領域単位の輝度値から、輝度値を補正した上で、後述する表示パネル１０８の液晶層の透過率を設定する。なお、この信号補正手段１０４の詳細な構成については、図２を参照しながら詳細に説明する。
【００１７】
次に、表示パネル駆動手段１０６及び表示パネル１０８について説明する。表示パネル１０８は、図示してはいないが、複数のゲート線、複数のソース線、スイッチング素子及び複数の画素セルを備え、複数のソース線及び複数のゲート線の交点にマトリクス状に複数の画素が配置され、水平方向の１ラインの画素から１走査ラインが構成される。
複数のソース線には表示パネル駆動手段１０６から画素信号が供給され、複数のゲート線には表示パネル駆動手段１０６から走査信号となるゲートパルスが供給され、各画素に対応する液晶層に信号電圧が与えられることにより透過率が制御される。ここで、表示パネル１０８は、図１に点線で示したように、表示部が複数の分割領域に分割されている。
【００１８】
なお、表示パネル１０８については、ＩＰＳ（Ｉｎ  Ｐｌａｎｅ  Ｓｗｉｔｃｈｉｎｇ）方式の他にＶＡ（Ｖｅｒｔｉｃａｌ  Ａｌｉｇｎｍｅｎｔ）方式や紫外線を液晶分子に照射するUV2A（Ultraviolet induced multi-domain Vertical Alignment）方式等のいずれの方式であっても適用可能である。
＜１−２、バックライトユニットに関する構成＞
バックライトユニット１１２は、表示パネル１０８に対して画像を表示させるための照明光を背面から照射する機能を有する。バックライトユニット１１２は、表示パネル１０８と同じく複数の領域に分割されている。
各分割領域はそれぞれ、表示パネル１０８上で同じ位置にある分割領域を照明する。各分割領域には少なくともひとつの光源を持つ。光源としては、白色ＬＥＤまたは、ＲＧＢ三色のＬＥＤを用いて白色光を得るＲＧＢＬＥＤを用いる。
各分割領域に属するＬＥＤは、バックライト駆動手段１１０によって駆動される。各領域ごとの輝度は、算定手段１０２により算定された輝度値に基づいて、バックライト駆動手段１１０によってそれぞれ独立に駆動される。図示されていないが、各分割領域はそれぞれバックライト駆動手段１１０と制御線で結ばれている。
なお、図１においては、記載されていないが、表示パネル１０８とバックライトユニット１１２との間に拡散シートを設けることにより、バックライトユニット１１２のＬＥＤから照射される光を均一化する構成を採用することも可能である。
＜１−３、信号補正手段の構成＞
図２に示すように、信号補正手段１０４は、算定手段１０２と、映像補正手段１６０とに接続されており、比較手段１５０と、直線補正手段１５２、台形補正手段１５４、選択手段１５６、補正手段１５８により構成されている。
【００１９】
この信号補正手段１０４には、上述した算定手段１０２により各分割領域の輝度値が算定されており、その各分割領域ごとの輝度値が入力されている。
【００２０】
次に、比較手段１５０において、算定手段１０２で算定された一つの分割領域の輝度値と、その分割領域の周辺の分割領域の輝度値とを比較する。なお、この算定手段１０２で算定される輝度値とは、ＬＥＤが無発光輝度の状態を０とし、最大発光状態を２５５と設定しており、本実施の形態においては、説明の簡単化のため、各分割領域に配置されたＬＥＤから発光される輝度値を示しているが、本発明はこれに限定されるものではなく、例えば、各分割領域に配置されたＬＥＤから発光される輝度値に加えて、他の分割領域に配置されたＬＥＤからの発光の影響を加味した値を輝度値として設定することも可能である。なお、この点については、後述する実施の形態２において詳細に説明する。
【００２１】
次に、具体例について、図３及び図４を参照しながら説明する。図３に示すように、Ａ領域は、Ａ（１，１）、Ａ（１，２）、Ａ（１，３）、Ａ（２，１）、Ａ（２，２）、Ａ（２，３）、Ａ（３，１）、Ａ（３，２）、Ａ（３，３）の９つの画素を一つのＬＥＤで発光している例を示している。また、同様に、Ｂ領域は、Ｂ（１，１）、Ｂ（１，２）、Ｂ（１，３）、Ｂ（２，１）、Ｂ（２，２）、Ｂ（２，３）、Ｂ（３，１）、Ｂ（３，２）、Ｂ（３，３）の９つの画素を一つのＬＥＤで発光しており、さらに、領域は、Ｃ（１，１）、Ｃ（１，２）、Ｃ（１，３）、Ｃ（２，１）、Ｃ（２，２）、Ｃ（２，３）、Ｃ（３，１）、Ｃ（３，２）、Ｃ（３，３）の９つの画素を一つのＬＥＤで発光している。
図３の下図に示すように、Ａ領域の輝度値は２００であり、Ｂ領域の輝度値は４０であり、Ｃ領域の輝度値は８０である。ここで、対象領域をＢとすると、対象領域Ｂは、周辺領域のいずれの輝度値よりも低輝度となっている。なお、本実施の形態においては、説明の簡単化のために、水平方向のみの比較を行っているが、本願発明はこれに限定されるものではなく、垂直方法のみ、垂直方向及び水平方向の両方の領域の比較を行う構成を採用することも可能である。
また、図４の下図に示すように、Ａ領域の輝度値は４０であり、Ｂ領域の輝度値は２００であり、Ｃ領域の輝度値は８０である。ここで、対象領域をＢとすると、対象領域Ｂは、周辺領域のいずれの輝度値よりも高輝度となっている。なお、本実施の形態においては、説明の簡単化のために、水平方向のみの比較を行っているが、本願発明はこれに限定されるものではなく、垂直方法のみ、垂直方向及び水平方向の両方の領域の比較を行う構成を採用することも可能である。
【００２２】
一方、図５についても図３と同様に、Ａ領域は、Ａ（１，１）、Ａ（１，２）、Ａ（１，３）、Ａ（２，１）、Ａ（２，２）、Ａ（２，３）、Ａ（３，１）、Ａ（３，２）、Ａ（３，３）の９つの画素を一つのＬＥＤで発光している例を示している。また、同様に、Ｂ領域は、Ｂ（１，１）、Ｂ（１，２）、Ｂ（１，３）、Ｂ（２，１）、Ｂ（２，２）、Ｂ（２，３）、Ｂ（３，１）、Ｂ（３，２）、Ｂ（３，３）の９つの画素を一つのＬＥＤで発光しており、さらに、領域は、Ｃ（１，１）、Ｃ（１，２）、Ｃ（１，３）、Ｃ（２，１）、Ｃ（２，２）、Ｃ（２，３）、Ｃ（３，１）、Ｃ（３，２）、Ｃ（３，３）の９つの画素を一つのＬＥＤで発光している。
【００２３】
図５の下図に示すように、Ａ領域の輝度値は２００であり、Ｂ領域の輝度値は８０であり、Ｃ領域の輝度値は４０である。ここで、対象領域をＢとすると、対象領域Ｂは、対象領域Ａよりは低輝度であるが、対象領域Ｃよりは高輝度となっており、周辺領域の輝度値の中間輝度値となっている。なお、本実施の形態においては、説明の簡単化のために、水平方向のみの比較を行っているが、本願発明はこれに限定されるものではなく、垂直方法のみ、垂直方向及び水平方向の両方の領域の比較を行う構成を採用することも可能である。
【００２４】
また、図６に示すように、Ａ領域の輝度値は４０であり、Ｂ領域の輝度値は８０であり、Ｃ領域の輝度値は２００である。ここで、対象領域をＢとすると、対象領域Ｂは、対象領域Ｃよりは低輝度であるが、対象領域Ａよりは高輝度となっており、周辺領域の輝度値の中間輝度値となっている。なお、本実施の形態においては、説明の簡単化のために、水平方向のみの比較を行っているが、本願発明はこれに限定されるものではなく、垂直方法のみ、垂直方向及び水平方向の両方の領域の比較を行う構成を採用することも可能である。
【００２５】
以上のように、比較手段では、算定手段１０２で算定された一つの分割領域の輝度値と、その分割領域の周辺の分割領域の輝度値とを比較し、対象の分割領域が周辺領域のいずれの輝度値よりも低輝度又は高輝度（図３，図４の場合）であるか、対象の分割領域が周辺領域の輝度値の中間輝度値（図５，図６の場合）のいずれであるかを判別する。
【００２６】
次に、直線補正手段１５２及び台形補正手段１５４について、図７、図８を参照しながら説明する。図７は、上述した図３及び図４の場合に対する、直線補正手段１５２及び台形補正手段１５４の処理を示したものである。実線は、台形補正手段１５４により補正された輝度値を示しており、一方、点線は直線補正手段１５２で補正された輝度値を示している。一方、図８は、上述した図５及び図６の場合に対する直線補正手段１５２及び台形補正手段１５４の処理を示したものである。実線は、直線補正手段１５２により補正された輝度値を示しており、一方、点線は台形補正手段１５４で補正された輝度値を示したものである。
【００２７】
この図７から明らかなように、対象の分割領域が周辺領域のいずれの輝度値よりも低輝度又は高輝度の場合には、台形補正手段１５２においては、対象となる分割領域Ｂを構成する複数の構成領域のうち、所定の構成領域の輝度値が略一定値となっており、分割領域Ｂの中心領域において、輝度値の分布の変化が大きい領域（鋭い折れ点）ができてしまうため、偽輪郭が発生し、画像の品位が下がるという問題を解決することが可能になる。一方、直線補正手段１５２においては、分割領域Ｂの中心領域において、輝度値の分布の変化が大きい領域（鋭い折れ点）ができてしまうため、画像の品位が下がるという問題が生じる。
【００２８】
さらに、図８から明らかなように、対象の分割領域が周辺領域の輝度値の中間輝度値になっている場合には、直線補正手段１５２においては、対象となる分割領域Ｂを構成する複数の構成領域が、周辺領域Ａ及び周辺領域Ｂとの輝度値と直線的な輝度値の分布となる。一方、台形補正手段１５２においては、対象となる分割領域Ｂを構成する複数の構成領域のうち、所定の構成領域の輝度値が略一定値となっており、この部分の輝度が均一の輝度となってしまうため、のっぺりとした画像となり、画像の品位が下がるという問題が生じる。
【００２９】
そこで、本発明においては、比較手段１５０により、対象の分割領域の輝度値と周辺領域との輝度値との関係に応じて、直線補正手段１５２又は台形補正手段１５４のいずれかを選択手段１５６において選択することにより、適切な補正方法を選択することが可能になるものである。
【００３０】
具体的には、対象の分割領域が周辺領域のいずれの輝度値よりも低輝度又は高輝度の場合には、台形補正手段１５２を選択することにより、対象となる分割領域Ｂを構成する複数の構成領域のうち、所定の構成領域の輝度値が略一定値となり、分割領域Ｂの中心領域において、輝度値の分布の変化が大きい領域（鋭い折れ点）ができてしまうため、偽輪郭が発生し、画像の品位が下がるという問題を解決することが可能になる。一方、対象の分割領域が周辺領域の輝度値の中間輝度値の場合には、直線補正手段１５２を選択することにより、対象となる分割領域Ｂを構成する複数の構成領域が、周辺領域Ａ及び周辺領域Ｂとの輝度値と直線的な輝度値に設定することが可能になり、違和感のない画像を提供することが可能になるものである。
【００３１】
次に、この選択手段１５６により選択された直線補正手段１５２又は台形補正手段１５４のいずれかの方法により補正された輝度値に基づいて、映像補正手段１６０において映像信号を補正し、補正後の映像信号に基づいて表示パネル１０８の透過率を設定する。
【００３２】
以上の構成により、対象の分割領域の輝度値と対象の分割領域の各周辺領域の輝度値との関係に応じて、補正量を設定することにより、複数の分割領域間がどのような輝度値の場合であっても、高品位な映像を提供することが可能になるものである。
【００３３】
なお、台形補正手段１５２の処理としては、上述した所定の構成領域の輝度値が略一定値方法以外に、図９に示すように、入力された映像信号に対して、輝度値の傾きを変更することにより、実現することも可能である。この場合には、図示していないが、台形補正手段１５２内に、傾斜補正手段を設け、算定手段１０２により算定された輝度値の角度を補正することにより、上述した所定の構成領域の輝度値が略一定値となるように設定することが可能になるものである。
【００３４】
つまり、傾斜補正手段においては、対象となる領域の輝度値が対象となる領域の周辺領域の輝度値の中間輝度値の場合と比較して、対象となる領域の輝度値が対象となる領域の周辺領域のいずれの輝度値よりも低輝度値又は高輝度値の場合において、対象となる領域の輝度値の変化量を緩やかに設定する
なお、上述した構成領域は、一つの画素単位で形成されていてもよく、また複数の画素により構成されていてもよい。
（実施の形態２）
本発明では、上述した実施の形態１に加えて、以下の内容を追加することも可能である。実施の形態１においては、各分割領域自体の輝度値は、各分割領域を構成する複数の構成領域においても一定であることを前提として説明した。
しかしながら、実際には、分割領域を構成する複数の構成領域において、例えば、分割領域の中心に位置する構成領域と他の分割領域との境界付近に位置する構成領域では、他の分割領域との境界付近ほど、他の分割領域において発光された光の影響を受けやすくなる。例えば、図１０に示すように、構成領域ａ、ｂ、ｃ、ｄ、ｆ、ｇ、ｈ、ｉは、いずれも他の分割領域と接しており、他の分割領域と接していない構成領域ｅとの他の分割領域からの光の影響は異なる。
そこで、本発明においては、図１１に示すように、複数の分割領域の中心からの各画素の位置に応じて、分割領域ごとに設定された輝度値を補正することにより、分割領域を構成する構成領域の位置に応じた輝度値を設定することが可能になるものである。つまり、対象となる分割領域に配置された光源からの輝度分布と対象となる分割領域の周辺の分割領域に配置された光源からの輝度分布に応じて各構成領域の輝度値を変更することが可能になるものである。
具体的な構成としては、図１２に示すように、補間手段２０２において、分割領域１及び分割領域２の光源の輝度値と水平方向の座標値であるｘを入力し、図１１におけるＡ地点の輝度値を補間する。同様に、補間手段２０４において、分割領域３及び分割領域４の光源の輝度値と水平方向の座標値であるｘを入力し、図１１におけるＢ地点の輝度値を補間する。さらに、補間手段２０６において、Ａ地点における輝度値とＢ地点における輝度値と垂直方向の座標値であるｙを入力し、図１１における推定対象画素の輝度値を補間する。
このような構成により、分割領域を構成する複数の構成領域がいずれの位置であっても、輝度分布に応じて適切な輝度値に補正をすることが可能になり、より高品位な画像を提供することが可能になるものである。
【産業上の利用可能性】
【００３５】
入力された映像信号を表示する表示パネルと前記表示パネルを背面から照射する複数の光源とにより構成された表示装置において、高品位な映像を表示可能な表示装置及び表示方法として有用である。
【符号の説明】
【００３６】
１０２    算定手段
１０４    信号補正手段
１０６    パネル駆動手段
１０８    表示パネル
１１０    バックライト駆動手段
１１２    バックライトユニット
１５０    比較手段
１５２    直線補正手段
１５４    台形補正手段
１５６    選択手段
１６０    映像補正手段
２０２    補間手段
２０４    補間手段
２０６    補間手段
【図１】
2013019922.tif 000003
【図２】
2013019922.tif 000004
【図３】
2013019922.tif 000005
【図４】
2013019922.tif 000006
【図５】
2013019922.tif 000007
【図６】
2013019922.tif 000008
【図７】
2013019922.tif 000009
【図８】
2013019922.tif 000010
【図９】
2013019922.tif 000011
【図１０】
2013019922.tif 000012
【図１１】
2013019922.tif 000013
【図１２】
2013019922.tif 000014
【図１３】
2013019922.tif 000015
【図１４】
2013019922.tif 000016